(57)【特許請求の範囲】
【請求項１】
セルラー式電話機であって、
制御回路と、
前記制御回路に接続され、セルラー信号を送信及び受信するセルラー送受信器と、
前記制御回路に作動可能に接続され、無線信号を送信及び受信する無線送受信器と
を備え、
前記セルラー送受信器及び前記無線送受信器は、同時に作動し、前記制御回路は、前記無線信号に応答してセルラー信号を発信し、
前記セルラー式電話機は、前記制御回路が無線機からの無線呼出し信号または無線信号が存在すると判定した場合に、前記無線機へ無線呼出し信号を送信することなく、着信セルラー呼に自動応答する、セルラー式電話機。
【請求項２】
セルラー式電話機であって、
制御回路と、
前記制御回路に接続され、セルラー信号を送信及び受信するセルラー送受信器と、
前記制御回路に作動可能に接続され、無線信号を送信及び受信する無線送受信器と
を備え、
前記セルラー送受信器及び前記無線送受信器は、同時に作動し、前記制御回路は、前記セルラー信号に応答して無線信号を発信し、
前記セルラー式電話機は、前記制御回路が無線機からの無線呼出し信号または無線信号が存在すると判定した場合に、前記無線機へ無線呼出し信号を送信することなく、着信セルラー呼に自動応答する、セルラー式電話機。
【請求項３】
前記制御回路は、前記セルラー送受信器からセルラー信号を受信し、該セルラー信号を無線信号に変換し、該無線信号を前記無線送受信器に提供する、請求項１または２に記載のセルラー式電話機。
【請求項４】
前記制御回路は、前記無線送受信器から無線信号を受信し、該無線信号をセルラー信号に変換し、該セルラー信号を前記セルラー送受信器に提供する、請求項１乃至３のいずれか一項に記載のセルラー式電話機。
【請求項５】
前記制御回路に接続された携帯用小型無線呼出し機をさらに備え、該携帯用小型無線呼出し機は、無線呼出し信号を送信及び受信する、請求項１乃至４のいずれか一項に記載のセルラー式電話機。
【請求項６】
前記無線送受信器は、無線呼出し信号を送信及び受信する、請求項１乃至４のいずれか一項に記載のセルラー式電話機。
【請求項７】
前記セルラー信号が受信されると、前記無線呼出し信号が送信される、請求項６に記載のセルラー式電話機。
【請求項８】
前記無線信号の無線ダウンリンク信号は、前記セルラー式電話機の利用者の介入なくセルラー通話を開始するためのデータ信号を含んでいる、請求項１乃至７のいずれか一項に記載のセルラー式電話機。
【請求項９】
前記セルラー信号のセルラーダウンリンク信号は、前記セルラー式電話機の利用者の介入なく無線通信を開始するためのデータ信号を含んでいる、請求項１乃至８のいずれか一項に記載のセルラー式電話機。
【請求項１０】
着信セルラー呼を、セルラーダウンリンク信号を介して受信する場合、通話を無線機に渡すオプションが使用可能となっている前記無線送受信器を介して受信された無線機からの無線呼出し信号または無線信号のいずれかが存在するかどうかが判定され、
前記無線機からの無線呼出し信号または無線信号が存在する場合、前記着信セルラー呼は、前記セルラー式電話機の利用者の介入なしに、前記セルラー式電話機のセルラー送受信器を用いて応答され、
前記無線機からの無線呼出し信号または無線信号が存在しない場合、前記セルラー送受信器は、前記無線送受信器を介して前記無線機へ無線呼出し信号を送信し、
前記無線機が、所定の時間期間内に前記無線呼出し信号に応答する場合、前記着信セルラー呼は、前記セルラー式電話機のセルラー送受信器を用いて応答され、
前記無線機が、所定の時間期間内に前記無線呼出し信号に応答しない場合、前記着信セルラー呼は応答されない、請求項９に記載のセルラー式電話機。
【請求項１１】
セルラー式電話機であって、
制御回路と、
前記制御回路に接続され、セルラー信号を送信及び受信するセルラー送受信器と、
前記制御回路に作動可能に接続され、無線信号を送信及び受信する無線送受信器と
を備え、
前記セルラー送受信器及び前記無線送受信器は、同時に作動し、
前記無線送受信器により無線機から無線呼出し信号が受信されるとき、前記制御回路は、前記セルラー式電話機がセルラー呼を有しているかを判定し、
前記セルラー式電話機がアクティブなセルラー呼を有している場合、前記無線機からの無線呼出し信号が受信されたときに、第１の警告が作動状態になり、
前記セルラー式電話機がアクティブなセルラー呼を有していない場合、前記無線機からの無線呼出し信号が受信されたときに、第２の警告が作動状態になり、
前記セルラー式電話機は、前記制御回路が無線機からの無線呼出し信号または無線信号が存在すると判定した場合に、前記無線機へ無線呼出し信号を送信することなく、着信セルラー呼に自動応答する、セルラー式電話機。
【請求項１２】
セルラー式電話機においてセルラー信号及び無線信号の同時通信を行なうための方法であって、
セルラーダウンリンク信号を受信すること、
セルラーアップリンク信号を送信すること、
前記セルラーダウンリンク信号を受信すること、または前記セルラーダウンリンク信号を送信することと同時に、無線ダウンリンク信号を受信するか、または無線アップリンク信号を送信すること
を含み、
前記セルラー式電話機の制御回路は、前記セルラー式電話機のセルラー電話の利用者の介入なしに、前記無線ダウンリンク信号を受信することに応答して、前記セルラーアップリンク信号を発信し、
前記セルラー式電話機の制御回路は、前記セルラー式電話機のセルラー電話の利用者の介入無しに、前記セルラーダウンリンク信号を受信することに応答して、前記無線アップリンク信号を発信し、
前記セルラー式電話機は、前記制御回路が無線機からの無線呼出し信号または無線信号が存在すると判定した場合に、前記無線機へ無線呼出し信号を送信することなく、着信セルラー呼に自動応答する、方法。
【請求項１３】
無線機から前記無線ダウンリンク信号の一部としてデータコマンドを受信すること、
前記データコマンドに基づいてセルラーアップリンク信号を生成すること
をさらに含む、請求項１２に記載の方法。
【請求項１４】
無線機から前記セルラーダウンリンク信号の一部としてデータコマンドを受信すること、
前記データコマンドに基づいて無線アップリンク信号を生成すること
をさらに含む、請求項１２に記載の方法。
【請求項１５】
セルラーダウンリンク信号を受信すること、
少なくとも一つの無線機へ無線呼出し信号を送信すること、
前記少なくとも一つの無線機から受理信号を受信すること、
前記少なくとも一つの無線機へ無線アップリンク信号としてセルラーダウンリンク信号を送信すること
をさらに含む、請求項１２に記載の方法。
【請求項１６】
前記無線呼出し信号は、セルラー式電話機の利用者の介入なく、前記少なくとも一つの無線機へ送信される、請求項１５に記載の方法。
【請求項１７】
セルラー式電話機においてセルラー信号及び無線信号の同時通信を行なうための方法であって、
セルラーダウンリンク信号を受信すること、またはセルラーダウンリンク信号を送信することと同時に、無線ダウンリンク信号を受信するか、または無線アップリンク信号を送信すること
を含み、
前記セルラー式電話機の制御回路は、無線ダウンリンク信号のデータコマンドに応答してセルラー通話を開始し、
前記セルラー式電話機は、前記制御回路が無線機からの無線呼出し信号または無線信号が存在すると判定した場合に、前記無線機へ無線呼出し信号を送信することなく、着信セルラー呼に自動応答する、方法。
【請求項１８】
セルラー式電話機においてセルラー信号及び無線信号の同時通信を行なうための方法であって、
セルラーダウンリンク信号を受信すること、またはセルラーダウンリンク信号を送信することと同時に、無線ダウンリンク信号を受信するか、または無線アップリンク信号を送信すること
を含み、
前記セルラー式電話機は、着信セルラー呼を受信し、
前記セルラー式電話機の制御回路は、無線機からの無線呼出し信号または無線信号が存在するかどうかを判定し、無線呼出し信号または無線信号が存在する場合、前記セルラー式電話機は前記セルラー呼に自動応答し、無線呼出し信号または無線信号が存在しない場合、前記セルラー式電話機は前記無線機へ無線呼出し信号を送信し、前記制御回路は、無線機が、所定の時間期間内に無線呼出し信号に応答したかどうかを判定し、前記無線機が前記無線呼出し信号に応答しない場合、前記セルラー式電話機は、前記セルラー呼に自動応答せず、前記無線機が前記無線呼出し信号に応答する場合、前記セルラー式電話機は前記セルラー呼に自動応答し、前記セルラー式電話機は、前記無線機へ無線アップリンク信号として前記セルラーダウンリンク信号を送信する、方法。
【発明の詳細な説明】
【技術分野】
【０００１】
本発明は、一般に無線通信システムに関する。より詳細には、本発明は、無線通信とセルラー通信とをほぼ同時に実施可能なセルラー式電話機に関する。
【背景技術】
【０００２】
消費者は、汎用性がより高く、より自由に既存の通信システムと併用できる通信装置を求めている。近年、家庭用無線サービス（Ｆａｍｉｌｙ  Ｒａｄｉｏ  Ｓｅｒｖｉｃｅ：ＦＲＳ）の利用が増えている。ＦＲＳは個人向けの短距離双方向無線サービスである。典型的なＦＲＳシステムでは、少なくとも２台の携帯型無線通信機が使用される。各無線通信機は送受信器を備え、該送受信器は１／２ワット以下で特定ＵＨＦの周波数帯において半二重モードで作動する。
【０００３】
ＦＲＳを利用すれば、あるグループに属するメンバーが、同一の一般エリア（ｇｅｎｅｒａｌ  ａｒｅａ）内にいるが、通話範囲の外にいる別のグループに属するメンバーとの間で通信できるようになる。ＦＲＳを利用してキャンプ、ハイキング、サイクリングなどを好むアウトドア派の人同士が、互いに連絡を取り合う。ＦＲＳを利用して、子供を持つ人が近所で遊んでいる子供と連絡を取る。ＦＲＳを利用して、家族や友人同士がショッピングセンター、スポーツイベントなどで連絡を取り合う。
【０００４】
ＦＲＳは、同一の一般エリア内にいるグループのメンバー間で通信を行なうのに適している。しかし、ＦＲＳでは、一般エリアを超えた通信、並びにセルラー通信システムと併用しての通信には適さない。ＦＲＳ送受信器は、通信可能範囲が約８０４．５メートル（１／２マイル）未満で、周波数帯がセルラー通信と互換ではない。さらに、ＦＲＳは半二重モードで作動するが、セルラー式電話は全二重モードで作動する。
【０００５】
一般エリアを超えた通信、或いはセルラーシステムと併用した通信を行なうためには、あるＦＲＳグループのメンバーが、別のＦＲＳのメンバーと無線通信を行いながらセルラー呼を発呼する必要がある。しかし、他のメンバーはセルラー通話に直接参加できない。他のメンバーがセルラー通話を発呼できないため、セルラー式電話機を使用している人が代わりに行なう必要がある。全てのメンバーは、セルラー式電話機を使用しているメンバーにメッセージを中継してもらわなければならない。さらに、このＦＲＳグループのメンバーの１人がセルラー式電話機を持っている必要がある。
【０００６】
したがって、無線通信とセルラー通信とが可能なセルラー式電話機に対する需要が存在する。
本発明は、添付の図面と関連付けて読むことでよく理解され得る。
【発明の概要】
【発明が解決しようとする課題】
【０００７】
無線通信及びセルラー通信の同時通信を行なうセルラー式電話機および方法を提供する。
【課題を解決するための手段】
【０００８】
本発明の一態様によれば、制御回路と、制御回路に接続され、セルラー信号を送信及び受信するセルラー送受信器と、制御回路に作動可能に接続され、無線信号を送信及び受信する無線送受信器とを備えるセルラー式電話機が提供され、セルラー送受信器及び無線送受信器は、同時に作動し、制御回路は、前記無線信号に応答してセルラー信号を発信する。
【０００９】
本発明の他の態様によれば、セルラー式電話機においてセルラー信号及び無線信号の同時通信を行なうための方法が提供され、方法は、セルラーダウンリンク信号を受信すること、セルラーアップリンク信号を送信すること、セルラーダウンリンク信号を受信すること、またはセルラーダウンリンク信号を送信することと同時に、無線ダウンリンク信号を受信するか、または無線アップリンク信号を送信することを含み、セルラー式電話機の制御回路は、セルラー式電話機のセルラー電話の利用者の介入なしに、無線ダウンリンク信号を受信することに応答して、セルラーアップリンク信号を発信し、セルラー式電話機の制御回路は、セルラー式電話機のセルラー電話の利用者の介入無しに、セルラーダウンリンク信号を受信することに応答して、無線アップリンク信号を発信する。
【図面の簡単な説明】
【００１０】
【図１】本発明の好ましい実施の形態による、無線信号及びセルラー信号の同時通信を行なうセルラー式電話機１１０を備えた無線通信システム１００の斜視図。
【図２】本発明の好ましい実施の形態による、無線信号及びセルラー信号の同時通信を行なうセルラー式電話機のブロック図。
【図３】本発明の好ましい実施の形態による、無線信号及びセルラー信号の同時通信のためのプッシュツートークモードのフローチャート。
【図４】本発明の好ましい実施の形態による、無線信号及びセルラー信号の同時通信のためのプッシュツーレシーブモードのフローチャート。
【図５】本発明の好ましい実施の形態による、音声検出を使用してラジオ信号及びセルラー信号を同時に通信するためのフローチャート。
【図６】本発明の好ましい実施の形態による、利用者にセルラー式電話機への無線呼出しの着信を通知するためのフローチャート。
【図７】本発明の好ましい実施の形態による、無線機を使用してセルラー式電話機でセルラー呼を発呼するためのフローチャート。
【図８】本発明の好ましい実施の形態による、無線機を使用してセルラー式電話機でセルラー呼に応答するためのフローチャート。
【発明を実施するための形態】
【００１１】
図１に、本発明による、セルラー信号及び無線信号の同時通信を行なうセルラー式電話機１１０が存在する無線通信システム１００を示す。無線機１２０は、無線機１２０との間で、かつセルラー式電話機１１０との間で無線信号の送信及び受信を行なう。セルラー式電話機１１０は、無線機１２０との間で無線信号の送信及び受信を行なう。セルラー式電話機１１０はまた、基地局１１５との間でセルラー信号の送信及び受信を行なう。無線通信システム１００は、携帯型、移動型、及び他のタイプのセルラー式電話機や無線機、並びにこれらの組み合わせを利用し得る。無線通信システム１００は、複数の基地局、複数のセルラー式電話機、並びにより多くの無線機を有し得る。
【００１２】
セルラー式電話機１１０は、全二重モードを使用して、基地局１１５との間でセルラー信号の送信及び受信を行なう。セルラー信号は、全二重通信に適した、単一帯域内、又は複数帯域内のデジタル信号又はアナログ信号の多重信号、或いはその他の信号であり得る。
【００１３】
セルラー信号には、セルラーアップリンク信号とセルラーダウンリンク信号とがある。セルラーアップリンク信号は、セルラー送受信器２１５（図２参照）から基地局１１５への通信に用いられる。セルラーダウンリンク信号は、基地局１１５からセルラー送受信器２１５への通信に用いられる。
【００１４】
セルラー式電話機１１０は、半二重モードを使用して、少なくとも１台の無線機１２０との間で無線信号の送信及び受信を行なう。無線信号は、半二重通信を提供するのに適した、デジタル信号、アナログ信号又はその他の信号であり得る。無線信号は、ＵＨＦ  ４６０ＭＨｚ帯内にあることが望ましい。ただし、他の周波数も使用され得る。
【００１５】
無線信号には、無線アップリンク信号と無線ダウンリンク信号とがある。無線アップリンク信号は、無線送受信器２１０（図２参照）から無線機１２０への通信に用いられる。無線ダウンリンク信号は、無線機１２０から無線送受信器２１０への通信に用いられる。
【００１６】
図２に、本発明によるセルラー式電話機１１０のブロック図を示す。セルラー式電話機１１０は、制御回路２０５、無線送受信器２１０、セルラー送受信器２１５、マイクロフォン２２０、スピーカー２２５及びアンテナ２３０を備える。
【００１７】
制御回路２０５は、セルラー式電話機１１０を作動させ、制御することができるマイクロプロセッサを備える。制御回路は、ワイヤ２１８を介してマイクロフォン２２０に、ワイヤ２２２を介してスピーカー２２５に接続されている。マイクロフォン２２０及びスピーカー２２５がセルラー式電話機の構成要素として図面に描かれているが、これらは個々に、或いは組み合わされて、ケーブル、無線、又は他の接続手段（図示なし）を介してセルラー式電話機１１０に接続され得る。スピーカー２２５は、複数の音量設定を備えており、そのうちの１つはセルラー信号からの音声を設定するためのものであり、もう１つは無線信号からの音声を設定するためのものである。同様に、マイクロフォン２２０は複数の音量設定を備えており、そのうちの１つはセルラー送受信器２１５を介して送信される音声を設定するためのものであり、もう１つは無線送受信器２１０を介して送信される音声を設定するためのものである。
【００１８】
制御回路２０５は、ワイヤ２３５を介して無線送受信器２１０に接続している。ワイヤ２３５は単一の接続要素として図面に描かれているが、ワイヤ２３５が、無線送受信器２１０内の無線トランスミッタ（図示なし）及び無線レシーバ（図示なし）と通信するなどのための複数の独立した接続を提供することもある。無線送受信器がセルラー式電話機の構成要素として図面に描かれているが、無線送受信器はケーブル、無線、又は他の接続手段（図示なし）を介してセルラー式電話機１１０に接続され得る。無線送受信器２１０は、ＵＨＦ  ４６０ＭＨｚ帯内において１／２ワット以下で作動することが望ましい。無線送受信器作動範囲は、約８０４．５メートル（１／２マイル）未満であることが望ましい。
【００１９】
無線送受信器は、セルラー式電話機１１０の外側で電話機と併用するため、無線装置（図示なし）の一部であることもあり得る。無線機は、セルラー式電話機上にクリップ留めされるか、又はセルラー式電話機の近くに配置される。無線装置は、ケーブル、無線、又は他の接続手段を介してセルラー式電話機に接続し得る。無線装置は、無線送受信器を収容していることに加えて、無線通信と自身の電力供給とを目的として構成された別のアンテナを有し得る。無線装置は、セルラー式電話機と接続されてない場合に無線機として作動し得る。
【００２０】
制御回路２０５は、ワイヤ２４０を介してセルラー送受信器２１５に接続している。ワイヤ２４０は単一の接続要素として図面に描かれているが、ワイヤ２４０が、セルラー送受信器２１５内のセルラートランスミッタ（図示なし）及びセルラーレシーバ（図示なし）と通信するなどのための複数の独立した接続を提供することもある。セルラー送受信器がセルラー式電話機の構成要素として図面に描かれているが、セルラー送受信器はケーブル、無線、又は他の接続手段（図示なし）を介してセルラー式電話機１１０に接続され得る。
【００２１】
無線送受信器は、ワイヤ２４５を介してアンテナ２３０と接続している。セルラー送受信器２１５は、ワイヤ２５０を介してアンテナ２３０と接続している。アンテナ２３０はデュアルモードである。アンテナ２３０が無線送受信器２１０のために使用されているときは、アンテナ２３０は、無線送受信器２１０が利用可能な単位利得及び送信出力を有し、無線送受信器２１０の通信可能範囲を約８０４．５メートル（１／２マイル）未満の範囲に制限することが望ましい。別法として、無線送受信器２１０及びセルラー送受信器２１５に、アンテナが別個に接続されることもあり得る。
【００２２】
図１及び図２において、セルラー式電話機１１０は、セルラー信号と無線信号との同時通信を提供する。同時通信とは、名前からわかるとおり、ラジオ信号とセルラー信号との同時通信である。例えば、セルラー式電話機の利用者がマイクロフォン２２０に向かって話し、音声信号が制御回路２０５に送信されるとする。制御回路２０５は、セルラー送受信器及び無線送受信器で送信するために、音声信号をセルラー信号と無線信号とにそれぞれ変換する。無線送受信器２１０は、該無線信号を無線機１２０に送信する。これと同時に、セルラー送受信器２１５は、該セルラー信号を基地局１１５に送信する。このようにして、音声信号が無線利用者と、基地局に接続している人とに同時に伝達される。
【００２３】
また、同時通信は、無線利用者がセルラー通話に参加するか、或いはセルラー式電話機１１０を利用できるようにするための、セルラー信号と無線信号とのほぼ同時の通信である。同様に、同時通信は、セルラー式電話の利用者又は個人が無線通信に参加するか、或いは無線機１２０を利用できるようにするための、セルラー信号と無線信号とのほぼ同時の通信である。例えば、無線利用者が無線機１２０に向かって話し、無線信号がセルラー式電話機１１０に送信されるとする。無線送受信器２１０は無線信号を受信し、該無線信号を制御回路２０５に伝達する。制御回路２０５は、該無線信号を音声信号に変換し、該音声信号をスピーカー２２５に伝達する。制御回路２０５は、該無線信号をセルラー信号に変換し、基地局１１５に送信するために該セルラー信号をセルラー送受信器２１５に伝達する。このようにして、音声信号がセルラー式電話の利用者と、基地局に接続している人とにほぼ同時に伝達される。
【００２４】
同時通信は、同時及びほぼ同時の通信である。これらの用語は入れ替え可能である。別法による動作モードにおいては、無線アップリンク信号の送信は、同時ではなく、ほぼ同時に発生する。セルラーアップリンク信号の送信も同様である。この動作モードでは、セルラー式電話機１１０は、無線伝送の範囲を約８０４．５メートル（１／２マイル）未満に制限するように送信出力を下げる。この低出力モードは、無線送受信器２１０の作動に限定されることもある。
【００２５】
作動時に、無線送受信器２１０は、半二重モードで無線アップリンク信号を送信し、無線ダウンリンク信号を受信する。セルラー送受信器２１５は、全二重モードでセルラーアップリンク信号を送信し、セルラーダウンリンク信号を受信する。無線送受信器２１０及びセルラー送受信器２１５は、無線利用者がセルラー式電話呼に参加でき、かつセルラー式電話の利用者が無線通信に参加できるように、ほぼ同時に作動する。
【００２６】
セルラー式電話機が使用されている場合、制御回路２０５は、基地局１１５との間、及び無線機１２０との間で通信が要求されているか、又は通信が確立されているかを判定する。基地局１１５との間の通信が要求又は確立されている場合、制御回路２０５は、マイクロフォン２２０からの音声信号をセルラーアップリンク信号に変換して、音声信号がセルラー送受信器２１５によって基地局１１５に送信される。また、制御回路２０５は、セルラー送受信器２１５によって受信されたセルラーダウンリンク信号を音声信号に変換してスピーカー２２５に伝達する。
【００２７】
無線機１２０との間の通信が要求又は確立されている場合、制御回路２０５は、マイクロフォン２２０からの音声信号を無線アップリンク信号に変換して、音声信号が無線送受信器２１０によって無線機１２０に送信する。また、制御回路２０５は、無線送受信器２１０によって受信された無線ダウンリンク信号を音声信号に変換してスピーカー２２５に伝達する。
【００２８】
基地局１１５との通信及び無線機１２０との通信の両方が要求又は確立されている場合、制御回路２０５は、種々の着信信号及び発信信号を変換して合成する。変換され、合成された信号の通信は、セルラー式電話の利用者、少なくとも１人の無線利用者、及び基地局を介して接続している人とが同一の電話呼／無線呼に参加できるように、同時に行なわれる。
【００２９】
制御回路２０５は、マイクロフォン２２０からの音声信号をセルラー音声信号と無線音声信号とに変換する。制御回路２０５は、無線ダウンリンク信号を音声スピーカー信号と無線基地局信号とに変換する。制御回路２０５は、セルラーダウンリンク信号をセルラースピーカー信号とセルラー無線信号とに変換する。
【００３０】
制御回路２０５は、セルラー音声信号と無線基地局信号とを合成してアップリンクセルラー信号を生成し、セルラー送受信器２１５から基地局１１５に送信する。制御回路２０５は、無線音声信号とセルラー無線信号とを合成してアップリンク無線信号を生成し、無線送受信器２１０から無線機１２０に送信する。制御回路２０５は、セルラースピーカー信号と音声スピーカー信号とを合成して、合成された音声信号を生成し、スピーカー２２５に送出する。
【００３１】
マイクロフォンからの音声信号については、セルラー送受信器２１５がセルラーアップリンク信号を基地局１１５に送信し、これとほぼ同時に無線送受信器２１０が無線アップリンク信号を無線機１２０に送信する。無線ダウンリンク信号については、セルラー送受信器２１５がセルラーアップリンク信号を送信し、これとほぼ同時に合成された音声信号がスピーカー２２５に送出される。セルラーダウンリンク信号については、無線送受信器２１０が無線アップリンク信号を送信し、これとほぼ同時に合成された音声信号がスピーカー２２５に送出される。
【００３２】
基地局１１５との間でセルラー通信が行われていない場合には、セルラー式電話機１１０は無線機として作動する。制御回路２０５は、無線ダウンリンク信号を音声信号に変換してスピーカー２２５に送出する。制御回路２０５は、マイクロフォン２２０からの音声信号を無線アップリンク信号に変換して、音声信号が無線送受信器２１０から無線機１２０に送信する。基地局１１５でセルラー通信が行われている場合であっても、セルラー信号が送信又は受信されていない時に、セルラー式電話機１１０は無線機として同様に作動し得る。
【００３３】
また、無線機１２０との間で無線通信が行われていない場合には、セルラー式電話機１１０はセルラー式電話機として動作する。制御回路２０５は、セルラーダウンリンク信号を音声信号に変換してスピーカー２２５に送出する。制御回路２０５は、マイクロフォン２２０からの音声信号を無線アップリンク信号に変換して、音声信号がセルラー送受信器２１５から基地局１１５に送信する。無線機１２０で無線通信が行われている場合であっても、無線信号が送信又は受信されていない時に、セルラー式電話機１１０はセルラー式電話機としても同様に動作し得る。
【００３４】
無線利用者、又は基地局に接続している人は、セルラー式電話機の利用者による介入がなくても、セルラー式電話機を使用してセルラー通話又は無線通信を行うことができる。セルラー式電話機は、電源が投入されているか、少なくとも待機モードになっている必要があり得る。別法として、無線信号又はセルラー信号によって、電源が切られているセルラー式電話機が作動状態になることもある。制御回路２０５は、セルラー式電話の利用者がこの機能の使用の可否を切り替えるための押しボタン（図示なし）又は他の作動状態化手段を備え得る。
【００３５】
セルラー式電話機の利用者による介入がなくセルラー式電話機が使用される場合、制御回路２０５は、ダウンリンクの無線信号をセルラーアップリンク信号に変換する。制御回路２０５は、ダウンリンクのセルラー信号を無線アップリンク信号に変換する。セルラー式電話機の利用者による介入がなくても無線利用者及び基地局１１５に接続している人が電話通話又は無線通信を開始可能なように、無線ダウンリンク信号及びセルラーダウンリンク信号はデータ信号を含むことがある。
【００３６】
さらに、基地局１１５からの応答が無線機１２０によって受信されるように、制御回路２０５は、無線送受信器による無線信号の送信又は受信を中止するか、又は維持し得る。例えば、無線利用者は呼が開始された後に、誰かが呼に応答したか、あるいは回線が使用中であることを知る必要がある場合がある。
【００３７】
無線送受信器２１０及び無線機１２０は半二重モードで動作するため、セルラー式電話と無線利用者との間の通信が妨害される場合がある。基地局１１５を介してセルラー式電話の利用者と通信を行っている場合に、このような妨害が発生しやすくなる。セルラー式電話の利用者との間の通信によって、無線利用者からの入力が妨げられることがある。セルラー式電話の利用者との通信によって、無線送受信器２１０が送信モードに入るため、無線機１２０の使用者が発言することができなくなる。
【００３８】
この状態を防止するため、本発明は「プッシュツートーク（ｐｕｓｈ−ｔｏ−ｔａｌｋ）」モード及び「プッシュツーレシーブ（ｐｕｓｈ−ｔｏ−ｒｅｃｅｉｖｅ）」モードの２つの動作モードを提供する。プッシュツートークモードは、無線送受信器２１０から無線機１２０への無線アップリンク信号の送信を維持するための無線維持手段を提供する。マイクロフォン２２０からの音声信号並びに基地局１１５からのセルラーダウンリンク信号は、変換及び合成されて無線アップリンク信号が生成される。無線アップリンク信号は、無線機１２０によって妨害されることなく無線機１２０に送信される。
【００３９】
無線維持手段は、無線送受信器２１０内の無線レシーバ（図示なし）を停止させる、制御回路２０からの制御信号であり得る。無線維持手段は、無線機１２０内の無線トランスミッタ（図示なし）を停止させる制御信号であり得る。他の無線維持手段も、セルラー式電話機１１０からの無線アップリンク信号の送信を維持させるか、或いは無線機１２０からの無線ダウンリンク信号の送信を中止させるのに適していれば使用し得る。
【００４０】
プッシュツーレシーブモードは、無線送受信器２１０からの無線アップリンク信号の送信を中止するための無線不能化手段を提供する。無線ダウンリンク信号は、セルラー式電話機１１０によって妨害されることなくセルラー式電話機１１０によって送信及び受信される。無線不能化手段は、無線送受信器２１０内の無線トランスミッタ（図示なし）を停止させる、制御回路２０５からの制御信号であり得る。抑止手段は、無線機１２０内の無線レシーバ（図示なし）を停止させる制御信号であり得る。他の抑止手段も、セルラー式電話機１１０からの無線アップリンク信号の送信を中止させるか、又は無線機１２０からの無線ダウンリンク信号の送信を維持させるのに適していれば使用し得る。
【００４１】
プッシュツートークモード又はプッシュツーレシーブモードのいずれかは、押しボタン（図示なし）を使用して作動状態にすることが可能である。無線機に複数のボタンを設けてもよいし、単一のボタンを利用してもよい。別法として、音声検出システムによってこれらのモードを作動状態にすることが可能である。音声又は音声信号が「聴取」されるか、又は特定のコマンドが与えられた場合に、音声検出システムはモードを作動状態にする。
【００４２】
無線送受信器２１０は、無線機との間で無線呼出しの送信及び受信を行なうことがある。無線呼出し機能は、無線送受信器２１０の一部であることが望ましい。しかし、セルラー式電話機１１０は、別個の携帯用小型無線呼出し機を内部又は外部に備えるか、無線装置の一部として備え得る。セルラー式電話機１１０は、セルラー呼が受信された場合に、無線呼出し信号を無線機１２０に送信する。セルラー式電話機１１０は、セルラー式電話機の利用者による介入がなくとも無線呼出し信号を送信し得る。
【００４３】
セルラー式電話機１１０は、信号の種類に応じて作動状態になる複数の警告（図示なし）を有し得る。警告は光、音、機械的警告（振動）、その他の通知手段、又はこれらの組み合わせであり得る。セルラー通話を受信した場合に第一の警告が作動状態になる。無線呼出しを受信した場合に第二の警告が作動状態になる。無線通信を受信した場合に第三の警告が作動状態になる。携帯用小型無線呼出し機が無線送受信器２１０の一部である場合、第二の警告及び第三の警告は同一の警告であり得る。
【００４４】
図３は、プッシュツートーク動作モードのフローチャートである。前述のように、プッシュツートークモードは、無線維持手段を使用してセルラー式電話機１１０からの無線伝送を維持する。ステップ３１０において、制御回路２０５は、無線維持手段が作動状態であるかを判定する。
【００４５】
無線維持手段が作動状態である場合、ステップ３２０においてマイクロフォン２２０からの音声信号が基地局１１５からのセルラーダウンリンク信号と合成されて無線アップリンク信号が生成される。ステップ３３０において、無線アップリンク信号が無線機１２０に送信され、同時にセルラーアップリンクを介して音声信号が送信される。ステップ３６０において、上記処理がステップ３１０から続行され、無線維持手段が作動状態であるかが判定される。
【００４６】
無線維持手段が作動状態ではない場合、ステップ３４０において、無線ダウンリンク信号とセルラーダウンリンク信号とが合成されて、合成された音声信号が生成される。ステップ３５０において、合成された音声信号がスピーカー２２５に送信される。ステップ３５５において、音声信号と無線ダウンリンク信号とが合成され、合成された音声信号が生成される。この合成された音声信号は、セルラーアップリンクを介して送信される。ステップ３６０において、上記処理がステップ３１０から続行され、無線維持手段が作動状態であるかが判定される。
【００４７】
図４は、セルラー式電話機１１０のプッシュツーレシーブ動作モードを示すフローチャートである。前述のように、プッシュツーレシーブモードは無線不能化手段を使用してセルラー式電話機１１０からの無線伝送を中止する。ステップ４１０において、制御回路２０５は無線不能化手段が作動状態であるかを判定する。
【００４８】
無線不能化手段が作動状態である場合、ステップ４２０において制御回路２０５は、セルラー式電話機１１０からの無線伝送を無効にする。ステップ４３０において、無線ダウンリンク信号が受信される。ステップ４４０において、無線ダウンリンク信号が変換されて、セルラーアップリンク信号として基地局１１５に送信される。ステップ４５０において、無線ダウンリンク信号は音声信号に変換され、スピーカー２２０に送出される。ステップ４８０において、上記処理がステップ４１０から続行され、無線不能化手段が作動状態であるかが判定される。
【００４９】
無線不能化手段が作動状態でない場合、ステップ４６０においてマイクロフォン２２０からの音声信号が基地局１１５からのセルラーダウンリンク信号と合成され、無線アップリンク信号が生成される。ステップ４７０において、無線アップリンク信号は無線機１２０に送信される。ステップ４８０において、上記処理がステップ４１０から続行され、無線不能化手段が作動状態であるかが判定される。
【００５０】
図５は、音声検出を使用して、無線送受信器２１０を作動状態にする際のフローチャートである。ステップ５１０において、制御回路２０５はセルラーダウンリンク信号及びセルラーアップリンク信号の両方において音声が検知されるかを判定する。両方の信号で音声が検出される場合、ステップ５２０において、セルラーアップリンク信号及びセルラーダウンリンク信号が合成されて無線アップリンク信号が生成され、無線機１２０に送信される。ステップ５７０において、ステップ５１０に戻って上記処理が繰り返される。
【００５１】
ステップ５３０において、制御回路２０５はセルラーダウンリンク信号においてのみ音声が検出されるかを判定する。セルラーダウンリンク信号においてのみ音声が検出される場合、ステップ５４０において、セルラーダウンリンク信号が無線機１２０に送信される。ステップ５７０において、ステップ５１０に戻って上記処理が繰り返される。
【００５２】
ステップ５５０において、制御回路２０５はセルラーアップリンク信号においてのみ音声が検出されるかを判定する。セルラーアップリンク信号においてのみ音声が検出される場合、ステップ５６０において、セルラーアップリンク信号が無線機１２０に送信される。ステップ５７０において、ステップ５１０に戻って上記処理が繰り返される。
【００５３】
図６は、無線呼出しが検出される場合に、別法による警告を使用するためのフローチャートである。ステップ６１０において、セルラー式電話機は、無線機１２０からの無線呼出し信号を検知する。ステップ６２０において、制御回路２０５は、セルラー式電話機１１０がセルラー呼が存在するかを判定する。セルラー呼が存在する場合、ステップ６３０において第一の警告が作動状態になる。第一の警告は利用者によって選択され得、かつ音、振動、光及び他の手段によって利用者に警告を発し得る。第一の警告は音量が小さいか、又はセルラー式電話機１１０と利用者との距離が近いことを埋合わせるための他の調整手段を備えている。セルラー呼が存在しない場合、ステップ６４０において第二の警告が作動状態になる。第二の警告は利用者によって選択され得、かつ音、振動、光及び他の手段によって利用者に警告を発し得る。ステップ６５０において警告が停止する。
【００５４】
図７は、無線機１２０を使用してセルラー式電話機１１０に対してセルラー呼を発呼するフローチャートである。ステップ７１０において、無線利用者は、無線機１２０でセルラー通話オプションを作動状態にするように選択する。ステップ７２０において、無線機１２０は、低速のデータコマンドをセルラー式電話機１１０に送信する。このデータコマンドによって、セルラー式電話の利用者の介入なしにセルラー通話が開始される。ステップ７３０において、セルラー式電話機１１０は、セルラーダウンリンク信号に音声が検出されるかを判定する。音声が検出されない場合、ステップ７４０においてセルラー式電話機１１０でプッシュツーレシーブモードが作動状態になる。音声が検出される場合、ステップ７５０においてセルラー式電話機１１０でプッシュツートークモードが作動状態になる。ステップ７６０において、セルラーダウンリンク信号に音声が検出されない場合、無線ダウンリンク信号がセルラーアップリンク信号として送信される。ステップ７７０において通話が終了する。
【００５５】
図８は、セルラー式電話機１１０でセルラー呼が受信され、通話を無線機１２０に渡すオプションが使用可能になっている場合に、無線機１２０を呼び出すためのフローチャートである。ステップ８１０において、セルラー式電話機１１０は着信セルラー呼を受信する。ステップ８２０において、セルラー式電話機は、無線機１２０からの無線呼出し又は無線信号のいずれかが存在するかどうかを判定する。無線機１２０からの無線呼出し又は無線信号のいずれかが存在する場合、ステップ８３０において、セルラー式電話機１１０はセルラー呼に自動応答する。無線機１２０からの無線呼出しも無線信号も存在しない場合、ステップ８４０において、セルラー式電話機１１０は無線呼出し信号を無線機１２０に送信する。ステップ８５０において、セルラー式電話機１１０は、所定の時間（４秒など）の間に無線機１２０が無線呼出しに応答したかを判定する。無線機１２０が無線呼出しに応答しない場合、ステップ８６０において、セルラー式電話機１１０はセルラー呼に自動応答しない。無線機が無線呼出しに応答する場合、処理はステップ８３０に進み、セルラー式電話機はセルラー呼に自動応答する。ステップ８７０において、セルラー式電話機１１０は、セルラーダウンリンク信号を無線アップリンク信号として無線機１２０に送信する。セルラーダウンリンク信号が検出されない場合は、ステップ８８０において、無線ダウンリンク信号がセルラーアップリンク信号として送信される。ステップ８９０において、セルラー通話が終了する。
【００５６】
本発明は詳述、図示されているが、本説明は例示のみを目的としている。他の利点は当業者によって容易に想到し得、当業者は本発明の精神及び範囲から逸脱することなく多数の変更例を作成し得る。したがって、本発明は、特定の詳細、代表的な装置、並びに本説明に限定されない。したがって、本発明の範囲は、添付の特許請求の範囲によってのみ限定される。
【符号の説明】
【００５７】
１００…無線通信システム、１１０…セルラー式電話機、１２０…無線機、２０５…制御回路、２１０…無線送受信器、２１５…セルラー送受信器。
【図１】
0005521004.tif 000002
【図２】
0005521004.tif 000003
【図３】
0005521004.tif 000004
【図４】
0005521004.tif 000005
【図５】
0005521004.tif 000006
【図６】
0005521004.tif 000007
【図７】
0005521004.tif 000008
【図８】
0005521004.tif 000009